(57)【要約】【課題】  連結ＳＭＳに係るショートメッセージの受信の途中で受信側の移動通信端末が変更された場合等であっても、ショートメッセージを適切に処理する。【解決手段】  移動体通信網Ｎにおいて送受信されるショートメッセージを制御するＳＭ−ＳＣ１０は、ショートメッセージを受信する受信部１１と、ショートメッセージが連結ＳＭＳの形式であるか否かを判定する連結ＳＭＳ判定部１２と、連結ＳＭＳの形式の一連の当該ショートメッセージを蓄積するＳＭＳ蓄積部１３と、一連のショートメッセージ各々を受信側移動通信端末６０に送信する送信部１４と、一連のショートメッセージの送信に対する受信を確認する受信確認部１５と、一連のショートメッセージの何れかについて受信されていないことが確認された場合に一連のショートメッセージの全てを送信するように送信部１４を制御する再送制御部１６とを備える。【選択図】  図１
2010161560.tif 000002
【特許請求の範囲】
【請求項１】
移動体通信網において送受信されるショートメッセージを制御するショートメッセージ制御装置であって、
送信側の端末から、受信側の端末に宛てて送信されるショートメッセージを受信する受信手段と、
前記受信手段によって受信されたショートメッセージが、複数のショートメッセージが連結されて一つのメッセージとなる連結ショートメッセージを構成する形式であるか否かを判定する連結ショートメッセージ判定手段と、
前記連結ショートメッセージ判定手段によって、前記受信手段によって受信されたショートメッセージが前記連結ショートメッセージを構成する形式であると判定された場合に、当該連結ショートメッセージを構成する一連の当該ショートメッセージを蓄積する連結ショートメッセージ蓄積手段と、
前記連結ショートメッセージ蓄積手段によって蓄積された前記連結ショートメッセージを構成する一連のショートメッセージ各々を前記受信側の端末に送信する送信手段と、
前記送信手段による前記一連のショートメッセージの送信に対して、当該ショートメッセージの各々について、前記受信側の端末での受信を確認する受信確認手段と、
前記受信確認手段によって、前記一連のショートメッセージの少なくとも何れかについて、前記受信側の端末において受信されていないことが確認された場合に、前記送信手段に対して前記一連のショートメッセージの全てを前記受信側の端末に送信するように制御する再送制御手段と、
を備えるショートメッセージ制御装置。
【請求項２】
前記受信確認手段によって、前記一連のショートメッセージの全てについて、前記受信側の端末での受信が確認された場合に、前記連結ショートメッセージ蓄積手段によって蓄積された当該一連のショートメッセージを削除する削除手段を更に備える請求項１に記載のショートメッセージ制御装置。
【請求項３】
移動体通信網において送受信されるショートメッセージを制御するショートメッセージ制御方法であって、
送信側の端末から、受信側の端末に宛てて送信されるショートメッセージを受信する受信ステップと、
前記受信ステップにおいて受信されたショートメッセージが、複数のショートメッセージが連結されて一つのメッセージとなる連結ショートメッセージを構成する形式であるか否かを判定する連結ショートメッセージ判定ステップと、
前記連結ショートメッセージ判定ステップにおいて、前記受信ステップにおいて受信されたショートメッセージが前記連結ショートメッセージを構成する形式であると判定された場合に、当該連結ショートメッセージを構成する一連の当該ショートメッセージを蓄積する連結ショートメッセージ蓄積ステップと、
前記連結ショートメッセージ蓄積ステップにおいて蓄積された前記連結ショートメッセージを構成する一連のショートメッセージ各々を前記受信側の端末に送信する送信ステップと、
前記送信ステップにおける前記一連のショートメッセージの送信に対して、当該ショートメッセージの各々について、前記受信側の端末での受信を確認する受信確認ステップと、
前記受信確認ステップにおいて、前記一連のショートメッセージの少なくとも何れかについて、前記受信側の端末において受信されていないことが確認された場合に、前記送信ステップによって前記一連のショートメッセージの全てを前記受信側の端末に送信するように制御する再送制御ステップと、
を含むショートメッセージ制御方法。
【発明の詳細な説明】
【技術分野】
【０００１】
本発明は、移動体通信網において送受信されるショートメッセージを制御するショートメッセージ制御装置及びショートメッセージ方法に関する。
【背景技術】
【０００２】
移動体通信網において、移動通信端末間でメッセージを送受信できるサービスにＳＭＳ（Short Message Service）がある。ＳＭＳには、通常、送受信できるショートメッセージのデータ量に制限がある。このような制限を超えるデータ量（例えば、７０文字以上（ＵＣＳ−２：Universal Character Set coded in 2octets））のメッセージを送受信する方法に連結ＳＭＳという技術が提案されている（例えば、非特許文献１参照）。連結ＳＭＳでは、送信側の移動通信端末でメッセージを複数のショートメッセージに分割して送信し、受信側の移動通信端末で受信した複数のショートメッセージを連結して表示等の処理を行う。
【非特許文献１】3GPP TS23.040  Technical realization of Short Message Service (SMS)
【発明の開示】
【発明が解決しようとする課題】
【０００３】
連結ＳＭＳの機能によって分割された複数のショートメッセージは、順次、移動体通信網から受信側の移動通信端末に送信される。ここで、受信側の移動通信端末が、それらのショートメッセージの一部を受信して、全てのショートメッセージを受信する前に圏外移動する等してショートメッセージを受信し得ない状態となったとする。その後、別の移動通信端末（装置）にＳＩＭ（Subscriber Identity Module）の差し替えを行った場合には、未受信のショートメッセージはＳＩＭが差し替えられた別の移動通信端末に受信される。
【０００４】
この場合、ＳＩＭ差し替え前の移動通信端末、及びＳＩＭ差し替え後の移動通信端末のそれぞれにおいて、連結ＳＭＳの機能によって分割されたショートメッセージが部分的にしか受信されておらず、ショートメッセージを連結することができず、表示等の適切な処理をおこなうことができない。また、通常、受信側の移動通信端末では、分割された個々のショートメッセージが受信されたことはユーザに通知されないので、ユーザはショートメッセージを受信していたことを認識できない。また、上記のような場合であっても、受信側の移動通信端末ではショートメッセージが受信されているので、ユーザがメッセージを見ることができないにもかかわらず、課金（例えば、送信側の移動通信端末のユーザに対する課金）が発生するという問題がある。
【０００５】
本発明は、以上の問題点を解決するためになされたものであり、上記のように、連結される複数のショートメッセージの受信の途中で、ＳＩＭの差し替え等によって受信側の移動通信端末が変更された場合等であっても、連結ショートメッセージの機能によって送信されたショートメッセージが適切に処理されることを可能とするショートメッセージ制御装置及びショートメッセージ制御方法を提供することを目的とする。
【課題を解決するための手段】
【０００６】
上記の目的を達成するために、本発明に係るショートメッセージ制御装置は、移動体通信網において送受信されるショートメッセージを制御するショートメッセージ制御装置であって、送信側の端末から、受信側の端末に宛てて送信されるショートメッセージを受信する受信手段と、受信手段によって受信されたショートメッセージが、複数のショートメッセージが連結されて一つのメッセージとなる連結ショートメッセージを構成する形式であるか否かを判定する連結ショートメッセージ判定手段と、連結ショートメッセージ判定手段によって、受信手段によって受信されたショートメッセージが連結ショートメッセージを構成する形式であると判定された場合に、当該連結ショートメッセージを構成する一連の当該ショートメッセージを蓄積する連結ショートメッセージ蓄積手段と、連結ショートメッセージ蓄積手段によって蓄積された連結ショートメッセージを構成する一連のショートメッセージ各々を受信側の端末に送信する送信手段と、送信手段による一連のショートメッセージの送信に対して、当該ショートメッセージの各々について、受信側の端末での受信を確認する受信確認手段と、受信確認手段によって、一連のショートメッセージの少なくとも何れかについて、受信側の端末において受信されていないことが確認された場合に、送信手段に対して一連のショートメッセージの全てを受信側の端末に送信するように制御する再送制御手段と、を備えることを特徴とする。
【０００７】
本発明に係るショートメッセージ制御装置では、送信側の端末から受信されたショートメッセージが連結ショートメッセージを構成するものであった場合、一連のショートメッセージとして蓄積され、受信側の端末に送信される。この一連のショートメッセージの送信に対して、ショートメッセージの少なくとも何れかについて受信側の端末において受信されていないことが確認された場合、蓄積された一連のショートメッセージの全てが受信側の端末に送信（再送）される。従って、本発明に係るショートメッセージ制御装置では、上述したように連結される複数のショートメッセージの受信の途中で、ＳＩＭの差し替え等によって受信側の移動通信端末が変更された場合等であっても、連結ショートメッセージの機能によって送信されたショートメッセージが適切に処理される。
【０００８】
本発明に係るショートメッセージ制御装置は、受信確認手段によって、一連のショートメッセージの全てについて、受信側の端末での受信が確認された場合に、連結ショートメッセージ蓄積手段によって蓄積された当該一連のショートメッセージを削除する削除手段を更に備えることが望ましい。この構成よれば、一連のショートメッセージが受信側の移動通信端末が変更されずに受信された場合、ショートメッセージ制御装置においてショートメッセージが削除される。従って、ショートメッセージ制御装置において、適切なタイミングで連結ショートメッセージを構成するショートメッセージが削除され、適切な管理が可能になる。
【０００９】
ところで、本発明は、上記のようにショートメッセージ制御装置の発明として記述できる他に、以下のようにショートメッセージ制御方法の発明としても記述することができる。これはカテゴリが異なるだけで、実質的に同一の発明であり、同様の作用及び効果を奏する。
【００１０】
即ち、本発明に係るショートメッセージ制御方法は、移動体通信網において送受信されるショートメッセージを制御するショートメッセージ制御方法であって、送信側の端末から、受信側の端末に宛てて送信されるショートメッセージを受信する受信ステップと、受信ステップにおいて受信されたショートメッセージが、複数のショートメッセージが連結されて一つのメッセージとなる連結ショートメッセージを構成する形式であるか否かを判定する連結ショートメッセージ判定ステップと、連結ショートメッセージ判定ステップにおいて、受信ステップにおいて受信されたショートメッセージが連結ショートメッセージを構成する形式であると判定された場合に、当該連結ショートメッセージを構成する一連の当該ショートメッセージを蓄積する連結ショートメッセージ蓄積ステップと、連結ショートメッセージ蓄積ステップにおいて蓄積された連結ショートメッセージを構成する一連のショートメッセージ各々を受信側の端末に送信する送信ステップと、送信ステップにおける一連のショートメッセージの送信に対して、当該ショートメッセージの各々について、受信側の端末での受信を確認する受信確認ステップと、受信確認ステップにおいて、一連のショートメッセージの少なくとも何れかについて、受信側の端末において受信されていないことが確認された場合に、送信ステップによって一連のショートメッセージの全てを受信側の端末に送信するように制御する再送制御ステップと、を含むことを特徴とする。
【発明の効果】
【００１１】
本発明では、この一連のショートメッセージの送信に対して、ショートメッセージの少なくとも何れかについて受信側の端末において受信されていないことが確認された場合、蓄積された一連のショートメッセージの全てが受信側の端末に送信（再送）される。従って、本発明によれば、上述したように連結される複数のショートメッセージの受信の途中で、ＳＩＭの差し替え等によって受信側の移動通信端末が変更された場合等であっても、連結ショートメッセージの機能によって送信されたショートメッセージが適切に処理される。
【発明を実施するための最良の形態】
【００１２】
以下、図面と共に本発明に係るショートメッセージ制御装置及びショートメッセージ制御方法の好適な実施形態について詳細に説明する。なお、図面の説明においては同一要素には同一符号を付し、重複する説明を省略する。なお、本実施形態におけるデータ名、信号名、及びそれらの具体的内容については、３ＧＰＰ（3rd Generation Partnership Project）に準拠する。
【００１３】
図１に本実施形態に係るショートメッセージ制御装置であるＳＭ−ＳＣ（Short Message Service Center）１０を示す。ＳＭ−ＳＣ１０は、移動体通信網Ｎの構成要素である。移動体通信網Ｎは、移動通信端末の接続対象であり、移動通信端末に対して移動体通信の機能を提供する。移動体通信網Ｎは、上記のＳＭ−ＳＣ１０と、ＳＧＳＮ／ＭＳＣ（SGSN Serving GPRS Support Node/Mobile Switching Center）２０と、ＳＭＳ−ＩＷＭＳＣ（ＳＭＳ−InterWorking Mobile Switching Center）３０と、ＳＭＳ−ＧＳＭＣ（ＳＭＳ−Gateway Mobile Switching Center）４０とを含んで構成されている。なお、移動体通信網Ｎは、上記の構成要素以外にも、基地局、無線制御装置、ＨＬＲ（Home Location Register）等の通常の移動体通信網を構成する構成要素を有している。
【００１４】
移動体通信網Ｎは、移動通信端末に対してＳＭＳの機能を提供しており、移動体通信網Ｎでは、文字情報等が含まれるＳＭＳによるショートメッセージが移動通信端末間で送受信される。ショートメッセージの種類には、ユーザ間での文字情報（文字メッセージ）のやりとり等に用いられる一般ＳＭＳと、移動通信端末の機能を制御する制御ＳＭＳ（制御用のショートメッセージ）とがある。連結ＳＭＳの機能によって送受信される複数のショートメッセージは、受信側の移動通信端末においてショートメッセージを連結する機能を制御するため、制御ＳＭＳに該当する。また、ショートメッセージの中には、移動通信端末から発信されるものではなく、移動体通信網Ｎのノード等から発信されるものもある。
【００１５】
ここで、図２及び図３に、ショートメッセージのデータ構成を示す。図２は、ショートメッセージの全体構成を示し、図３は、ショートメッセージのユーザデータ部分（図２におけるＴＰ−ＵＤに相当する部分）の構成を示す。図２及び図３において、右端の列はデータサイズを示し（オクテット単位）、上端の行はデータの格納位置を示している。なお、図３においては、各情報要素（ＩＥ：Information-Element）にａ，ｂ，ｃ…のように添え字を振っている。
【００１６】
また、図４にショートメッセージのユーザデータ部分の個々の情報要素（ＩＥＩ（Information-Element-Identifier、図３におけるＩＥＩａ，ＩＥＩｂ等）、ＩＥＤＬ（Length of Information-Element、図３におけるＩＥＤＬａ，ＩＥＤＬｂ等）、ＩＥＤ（Information-Element Data、図３におけるＩＥＤａ，ＩＥＤｂ等））のデータ構成を示す。図４において、右端の列はデータサイズを示し（オクテット単位）、上端の行はデータの格納位置を示し、左端の列はフィールド名を示している。ショートメッセージが連結ＳＭＳを構成するものであった場合、図４に示すように、ＩＥＤ（の何れか）には連結ショートメッセージ整理番号、最大ショートメッセージ番号、及びシーケンス番号を示す情報が収められている。
【００１７】
連結ショートメッセージ整理番号は、連結ＳＭＳの機能によって複数のショートメッセージに分割されるメッセージを特定する情報（整理番号）である。この整理番号は、あるメッセージを構成する全てのショートメッセージにおいて同一の値となる。最大ショートメッセージ番号は、連結ＳＭＳの機能によってメッセージが分割されたショートメッセージの総数を示す値であり、０から２５５までの値が設定される。最大ショートメッセージ番号は１以上の値をとり、あるメッセージを構成する全てのショートメッセージにおいて同一の値となる。シーケンス番号は、連結ＳＭＳの機能によりメッセージを構成するショートメッセージのシーケンス番号であり、０から２５５までの値が設定される。シーケンス番号は、１から始まり、当該メッセージを構成する一連のショートメッセージが送信されるごとに１ずつ増加する。
【００１８】
ＳＭ−ＳＣ１０は、ＳＭＳ−ＩＷＭＳＣ３０と接続されており、ＳＭＳ−ＩＷＭＳＣ３０を介して、ショートメッセージの送信元（ショートメッセージを送信する移動通信端末等）から当該ショートメッセージを受け付け、蓄積する装置である。即ち、ＳＭ−ＳＣ１０とショートメッセージの送信元との間でＳＭＳ発信処理が行われる。また、ＳＭ−ＳＣ１０は、ＳＭＳ−ＧＭＳＣ４０と接続されており、蓄積したショートメッセージを、送信先へのショートメッセージ転送要求としてＳＭＳ−ＧＭＳＣ４０に送信する。即ち、ＳＭ−ＳＣ１０とショートメッセージの送信先との間でＳＭＳ着信（配信）処理が行われる。なお、ＳＭ−ＳＣ１０は本実施形態では１つの装置として説明するが、複数の装置（コンピュータによるシステム）として実現されていてもよい（その他の移動体通信網Ｎを構成するノードも同様である）。
【００１９】
ＳＧＳＮ／ＭＳＣ２０は、通常、移動体通信網Ｎに複数設けられており、移動体通信網Ｎにおけるパケット／回線交換通信の交換機の役割を果たす。ＳＧＳＮ／ＭＳＣ２０は、通信エリアに応じて移動通信端末を管理する（移動通信端末が在圏する）。ＳＧＳＮ／ＭＳＣ２０は、ＳＭＳ−ＩＷＭＳＣ３０に接続されており、自身が管理する移動通信端末から送信されるショートメッセージを受信して、ＳＭＳ−ＩＷＭＳＣ３０に出力する。また、ＳＧＳＮ／ＭＳＣ２０は、ＳＭＳ−ＧＭＳＣ４０に接続されており、自身が管理する移動通信端末宛に送信されるショートメッセージをＳＭＳ−ＧＭＳＣ４０から入力して、移動通信端末に送信（配信）する。
【００２０】
ＳＭＳ−ＩＷＭＳＣ３０は、送信元の移動通信端末からショートメッセージの送信を受け付ける処理を行う装置である。ＳＭＳ−ＩＷＭＳＣ３０は、各ＳＧＳＮ／ＭＳＣ２０と接続されている。ＳＭＳ−ＩＷＭＳＣ３０は、送信元の移動通信端末から送信されたショートメッセージをＳＧＳＮ／ＭＳＣ２０を介して受信して、ショートメッセージ転送要求としてＳＭ−ＳＣ１０に入力する。
【００２１】
ＳＭＳ−ＧＭＳＣ４０は、ショートメッセージの配信処理を行う装置である。ＳＭＳ−ＧＭＳＣ４０は、各ＳＧＳＮ／ＭＳＣ２０と接続されている。ＳＭＳ−ＧＭＳＣ４０は、ＳＭ−ＳＣ１０からショートメッセージの配信要求が入力されると、ＨＬＲに管理される移動通信端末の在圏情報を参照して、ショートメッセージを受信する移動通信端末を管理するＳＧＳＮ／ＭＳＣ２０を特定して、特定したＳＧＳＮ／ＭＳＣ２０に当該ショートメッセージを送信する。在圏情報には、移動通信端末がいずれのＳＧＳＮ／ＭＳＣ２０に管理されているかを示す情報が含まれる。なお、ＳＭＳ−ＩＷＭＳＣ３０とＳＭＳ−ＧＭＳＣ４０とは、同一の装置によって実現されることもある。また、上述した各装置２０〜４０の機能は、従来の機能と同様の機能である。
【００２２】
移動体通信末は、ユーザに所持され、移動体通信により移動体通信網Ｎに接続する機能を有する装置である。移動通信端末は、ＳＭＳによってショートメッセージを送受信する機能を有している。即ち、移動通信端末は、移動体通信網Ｎにショートメッセージを送信し、あるいは、移動体通信網Ｎから（自端末宛に送信された）ショートメッセージを受信することができる。移動通信端末の中には、連結ＳＭＳの機能を有しているものがある。連結ＳＭＳの機能を有している移動通信端末は、ショートメッセージの送信時には、メッセージが複数のショートメッセージに分割すべきサイズである場合には、複数のショートメッセージに分割して送信する。また、連結ＳＭＳの機能を有している移動通信端末は、分割されたショートメッセージを受信した場合には、当該ショートメッセージが連結ＳＭＳに係る分割されたショートメッセージであることを（当該ショートメッセージのヘッダ等を参照して）認識して、複数のそれらのショートメッセージを連結して表示等の処理を行う。
【００２３】
移動通信端末は、ショートメッセージを受信すると、当該受信に対する応答である当該受信に対するａｃｋを移動体通信網Ｎ（のＳＧＳＮ／ＭＳＣ２０）に送信する。ＳＧＳＮ／ＭＳＣ２０は、当該ａｃｋを受信すると、それに応じた応答をＳＭＳ−ＧＭＳＣ４０を介してＳＭ−ＳＣ１０に送信する。一方で、ＳＧＳＮ／ＭＳＣ２０は、ショートメッセージを送信したにもかかわらず（例えば、所定時間以内に）移動通信端末からａｃｋが受信されないと、タイムアウトを検出して、ａｃｋが受信されなかった旨をＳＭＳ−ＧＭＳＣ４０を介してＳＭ−ＳＣ１０に送信する。ショートメッセージの受信に対するａｃｋは、連結ＳＭＳの機能によって分割されたショートメッセージであっても、ショートメッセージ毎に行われる。
【００２４】
また、移動通信端末は、電話番号を特定するための固有のＩＤ番号等を記憶したＳＩＭ（Subscriber Identity Module）が端末装置に差し込まれることにより実現される。ＳＩＭは抜き差しが可能であり、ＳＩＭを別の端末装置に差し込むことによって、当該別の端末装置で（同一の電話番号（ショートメッセージの宛先）の）移動通信端末を実現することができる。なお、通常、ＳＩＭカードを抜き差しするためには、端末装置の電源がオフになっている（即ち、非通信状態である）必要がある。
【００２５】
本実施形態では、以下、ショートメッセージの送信（発信）側の移動通信端末を送信側移動通信端末５０とし、ショートメッセージの受信（着信）側の移動通信端末を受信側移動通信端末６０として説明を行う。なお、送信側移動通信端末５０及び受信側移動通信端末６０は、従来の移動通信端末と同様のものである。また、送信側移動通信端末５０がＳＧＳＮ／ＭＳＣ２０ａに管理されているものとし、受信側移動通信端末６０がＳＧＳＮ／ＭＳＣ２０ｂに管理されているものとする。上記の送信側移動通信端末５０及び受信側移動通信端末６０には、連結ＳＭＳの機能を有しているものと、有していないものが含まれうる。
【００２６】
引き続いて、本実施形態に係るＳＭ−ＳＣ１０の機能について説明する。図１に示すように、ＳＭ−ＳＣ１０は、受信部１１と、連結ＳＭＳ判定部１２と、ＳＭＳ蓄積部１３と、送信部１４と、受信確認部１５と、再送制御部１６と、削除部１７とを備えて構成されている。なお、ＳＭ−ＳＣ１０は上記の構成要素以外にも、通常のＳＭ−ＳＣが有している機能も備えている。
【００２７】
受信部１１は、送信側移動通信端末５０等から、受信側移動通信端末６０に宛てて送信されるショートメッセージを受信する受信手段である。具体的には、受信部１１は、ＳＭＳ−ＩＷＭＷＣ３０からＳＭ−ＳＣ１０に送信された上記のショートメッセージ（受信側移動通信端末６０への送信の要求）を受信する。受信部１１は、受信したショートメッセージを連結ＳＭＳ判定部１２に出力する。
【００２８】
連結ＳＭＳ判定部１２は、受信部１１から入力されたショートメッセージが、連結ＳＭＳの機能によって分割されたショートメッセージの形式であるか否かを判定する連結ショートメッセージ判定手段である。ここで、連結ＳＭＳの機能によって分割されたショートメッセージ（連結ショートメッセージ）とは、上述したように複数のショートメッセージが連結されて一つのメッセージとなるショートメッセージである。
【００２９】
連結ＳＭＳ判定部１２は、具体的には、まず、受信部１１から入力されたショートメッセージが、制御ＳＭＳか否かを判定する。具体的には、受信部１１から入力されたショートメッセージのＳＭＳヘッダに含まれるショートメッセージの種別を示す情報を参照して判定を行う。連結ＳＭＳ判定部１２は、ＳＭＳヘッダのＴＰ−ＵＤＨＩ（TP-User-Data-Header-Indicator）（図２参照）を参照して、上記の判定を行う。ＴＰ−ＵＤＨＩは、ショートメッセージのユーザデータを格納するフィールドであるＴＰ−ＵＤ（TP-User-Data）にショートメッセージ（のデータ本体、図３における下端の行に相当）のみを収めている場合“０”を収めており、ＴＰ−ＵＤの先頭にショートメッセージ（のデータ本体）の他にヘッダを収めている場合“１”を収めている。
【００３０】
連結ＳＭＳ判定部１２は、ＴＰ−ＵＤＨＩ＝１であればショートメッセージが制御ＳＭＳと判定し、ＴＰ−ＵＤＨＩ＝０であればショートメッセージが一般ＳＭＳであると判定する。連結ＳＭＳ判定部１２によって、ショートメッセージが一般ＳＭＳであると判定された場合、当該ショートメッセージは連結ＳＭＳ係る形式でないと判定する。連結ＳＭＳ判定部１２は、ショートメッセージが制御ＳＭＳであると判定した場合、続いて、当該ショートメッセージが連結ＳＭＳに係る形式であるか否かを判定する。
【００３１】
具体的には、受信部１１から入力されたショートメッセージのＴＰ−ＵＤヘッダ（図３におけるＵＤＨＬ（Length of User Data Header）からＩＥＤｚ（Information-Element“z”Data）までのデータ）内に含まれるショートメッセージの種別を示す情報を参照して判定を行う。ＴＰ−ＵＤヘッダのＩＥＩ（Information-Element-Identifier、図３における、ＩＥＩａ，ＩＥＩｂ等）は、ショートメッセージの連結を行う場合、“00000000”（８ビット整理番号）又は“00001000”（１６ビット整理番号）が設定される。連結ＳＭＳ判定部１２は、参照したＴＰ−ＵＤヘッダのＩＥＩのいずれかに“00000000”又は“00001000”が含まれれば連結ＳＭＳと判定し、ＴＰ−ＵＤヘッダのＩＥＩのいずれにも“00000000”又は“00001000”が含まれなければ連結ＳＭＳでないと判定する。連結ＳＭＳ判定部１２は、ＳＭＳ蓄積部１３にショートメッセージを出力すると共に、その判定結果（当該ショートメッセージが連結ＳＭＳに係るものであるか否か）を通知する。
【００３２】
ＳＭＳ蓄積部１３は、受信部１１によって受信されて連結ＳＭＳ判定部１２から入力されたショートメッセージを蓄積する手段である。ショートメッセージの蓄積は、ＳＭ−ＳＣ１０が備えるメモリ上に格納することにより行われる。また、ＳＭＳ蓄積部１３は、連結ＳＭＳ判定部１２から、入力されたショートメッセージが連結ショートメッセージを構成する形式であると通知された場合、当該ショートメッセージを、当該連結ショートメッセージを構成する一連の当該ショートメッセージとして蓄積する連結ショートメッセージ蓄積手段である。
【００３３】
具体的には、入力されたショートメッセージが連結ショートメッセージを構成する形式であると通知された場合、ＳＭＳ蓄積部１３は、ショートメッセージのＴＰ−ＵＤヘッダ内の連結ショートメッセージ整理番号、最大ショートメッセージ番号及びシーケンス番号を参照して、それらの情報に基づいて連結ショートメッセージを構成する一連の当該ショートメッセージとして蓄積する。例えば、連結ショートメッセージ整理番号に対応付けて、それぞれのショートメッセージを蓄積する。入力されたショートメッセージが連結ショートメッセージを構成する形式であると通知されない場合は、通常と同様に個々のショートメッセージとして蓄積する。
【００３４】
ここで、ショートメッセージのＴＰ−ＭＲ、ＴＰ−ＵＤＬ及びＴＰ−ＵＤを除いて、連結ショートメッセージを構成する各ショートメッセージのＴＰ要素は同一である。ＳＭＳ蓄積部１３は、新たにショートメッセージを蓄積した場合には、その旨を送信部１４に通知する。
【００３５】
送信部１４は、ＳＭＳ蓄積部１３によって蓄積されたショートメッセージを受信側移動通信端末６０に送信する送信手段である。具体的には、送信部１４は、ＳＭＳ蓄積部１３によって蓄積されたショートメッセージの中から、送信対象のショートメッセージを取得して、ＳＭＳ−ＧＭＳＣ４０に送信する。なお、この送信は、ＳＭＳ蓄積部１３から新たにショートメッセージを蓄積した旨が通知した場合に行われる。送信部１４は、送信するショートメッセージが連結ＳＭＳに係るものであった場合（一連のショートメッセージとしてＳＭＳ蓄積部１３によって蓄積されたものである場合）、一連のショートメッセージ各々を受信側移動通信端末６０に送信する（送信処理自体は、通常のショートメッセージと同様である）。また、送信部１４は、上記の一連のショートメッセージの送信を行った場合は、その旨を再送制御部１６に通知する。また、その通知の際、連結ＳＭＳに係る情報（連結ショートメッセージ整理番号及び最大ショートメッセージ番号等）も併せて通知する。
【００３６】
また、送信部１４は、再送制御部１６からショートメッセージの送信（少なくとも一部は再送）の制御を受けた場合にも、上記と同様に、当該制御に係る連結ＳＭＳに係るショートメッセージ全てを受信側移動通信端末６０に送信する。なお、再送制御部１６からショートメッセージの送信の制御を受けた場合、そのタイミングで送信してもよいが、通常、再送を行う場合は、受信側移動通信端末６０が圏外にある等、通信を行えない場合が多い。従って、送信部１４は、（ＳＭ−ＳＣ１０が）受信側移動通信端末６０から新規のショートメッセージを格納しているかの問い合わせを受信した場合に再送を行なうこととしてもよい。あるいは、受信側移動通信端末６０が圏内になった場合や受信側移動通信端末６０が移動体通信網Ｎに対して位置登録を行った場合に再送を行うこととしてもよい。受信側移動通信端末６０が圏内になったことや、受信側移動通信端末６０が移動体通信網Ｎに対して位置登録を行ったことは、例えば、ＳＧＳＮ／ＭＳＣ２０からの通知を受けることによって検出することができる。
【００３７】
受信確認部１５は、送信部１４によるショートメッセージの送信に対して、当該ショートメッセージについて受信側移動通信端末６０での受信を確認する受信確認手段である。受信確認部１５は、ＳＧＳＮ／ＭＳＣ２０からの、受信側移動通信端末６０からのａｃｋが受信されたか否かの通知を受け取ることによって、ショートメッセージの受信側移動通信端末６０での受信を確認する。受信確認部１５は、連結ＳＭＳに係る一連のショートメッセージの受信側移動通信端末６０での受信を確認する。受信確認部１５は、受信が確認されたショートメッセージを（どのショートメッセージが受信側移動通信端末６０に受信されたかを）記憶しておく。受信確認部１５は、連結ＳＭＳに係る一連のショートメッセージの何れかが、受信側移動通信端末６０において受信されていないことを確認した場合（ＳＧＳＮ／ＭＳＣ２０から受信エラーが通知された場合）は、その旨を、当該連結ＳＭＳを特定する情報（連結ショートメッセージ整理番号）と共に再送制御部１６に通知する。また、その場合、当該連結ＳＭＳに係るショートメッセージが受信側移動通信端末６０での受信確認の情報をリセットする。
【００３８】
一方で、受信確認部１５は、連結ＳＭＳに係る一連のショートメッセージの全てが、受信側移動通信端末６０において受信されていないことが確認された場合は、その旨を、当該連結ＳＭＳを特定する情報（連結ショートメッセージ整理番号）と共に削除部１７に通知する。受信確認部１５は、受信確認が、連結ＳＭＳに係る一連のショートメッセージの全てについて行われたことを、連結ショートメッセージ整理番号及び最大ショートメッセージ番号等に基づいて判断する。
【００３９】
再送制御部１６は、受信確認部１５によって連結ＳＭＳに係る一連のショートメッセージの何れかについて受信側移動通信端末６０において受信されていないことが確認された場合に、連結ＳＭＳに係る一連のショートメッセージの全てを受信側移動通信端末６０に送信するように送信部１４を制御する再送制御手段である。なお、再送制御部１６は、送信部１４が送信対象となるショートメッセージを特定できるように、当該連結ＳＭＳを特定する情報を通知する。また、再度の送信は、例えば、シーケンス番号が小さいものから等の予め決められた順番で行うこととしてもよい。
【００４０】
削除部１７は、受信確認部１５によって連結ＳＭＳに係る一連のショートメッセージの全てについて受信側移動通信端末６０での受信が確認された場合に、ＳＭＳ蓄積部１３によって蓄積された当該一連のショートメッセージを削除する削除手段である。再送制御部１６は、受信確認部１５から通知された連結ＳＭＳを特定する情報に基づいて、削除するショートメッセージを特定して削除を行う。この削除は、具体的にはメモリ上に記憶されたショートメッセージを消去することにより行われる。以上が、ＳＭ−ＳＣ１０の機能構成である。
【００４１】
続いて、図５に本実施形態に係るＳＭ−ＳＣ１０のハードウェア構成を示す。図５に示すように、ＳＭ−ＳＣ１０は、ＣＰＵ（Central Processing Unit）１０１、主記憶装置であるＲＡＭ（Random Access Memory）１０２及びＲＯＭ（Read Only Memory）１０３、通信モジュール１０４並びにハードディスク等の補助記憶装置１０５等のハードウェアを備えるコンピュータを備えて構成される。これらの構成要素が、動作することにより、ＳＭ−ＳＣ１０の上述した機能が発揮される。
【００４２】
引き続いて、図６及び図７のシーケンス図を用いて本実施形態に係るＳＭ−ＳＣ１０により実行される処理（ショートメッセージ制御方法）について説明する。まず、図６のシーケンス図を用いて、送信側移動通信端末５０からショートメッセージが受信される際に実行される処理を説明し、その後、図７のシーケンス図を用いて、受信側移動通信端末６０にショートメッセージが送信される際に実行される処理を説明する。なお、ここで送信されるショートメッセージは、連結ＳＭＳの機能により複数に分割されたショートメッセージであり、２つのショートメッセージに分割されるものとする。また、送信側移動通信端末５０及び受信側移動通信端末６０は、連結ＳＭＳの機能を有している。
【００４３】
まず、送信側移動通信端末５０において、ＳＭＳ発信処理が行われる。この処理は、送信側移動通信端末５０に対するユーザの操作等をトリガとして開始される。まず、送信側移動通信端末５０からＳＧＳＮ／ＭＳＣ２０ａに対して、ＳＭＳ発信処理を行うための要求（Service Request）が行われる（Ｓ０１）。続いて、当該要求はＳＧＳＮ／ＭＳＣ２０ａによって受信されて、ＳＧＳＮ／ＭＳＣ２０ａと送信側移動通信端末５０との間で（従来と同様の）認証・秘匿処理が行われる（Ｓ０２）。続いて、以下のように、連結ＳＭＳの機能により分割されたショートメッセージが順次、送信側移動通信端末５０からＳＧＳＮ／ＭＳＣ２０ａに発信される。
【００４４】
送信側移動通信端末５０からＳＧＳＮ／ＭＳＣ２０ａに対して、（２つのショートメッセージのうちの一つの）ショートメッセージが発信される（Ｓ０３）。この発信は、送信側移動通信端末５０からＳＧＳＮ／ＭＳＣ２０ａに対してＲＰ−ＤＡＴＡを含むＣＰ−ＤＡＴＡを送信することにより行われ、これを受信したＳＧＳＮ／ＭＳＣ２０ａからは送信側移動通信端末５０に対してＣＰ−ＡＣＫが送信される。送信側移動通信端末５０及び受信側移動通信端末６０とＳＧＳＮ／ＭＳＣ２０との間は、上記のようにＣＰ−ＤＡＴＡでやりとりされる（以下、同様）。
【００４５】
上記のようにショートメッセージは、ＳＧＳＮ／ＭＳＣ２０ａによって受信され、続いて、ＳＧＳＮ／ＭＳＣ２０ａからＳＭＳ−ＩＷＭＳＣ３０に当該ショートメッセージの送信（MO forward SM）が行われる（Ｓ０４）。当該ショートメッセージはＳＭＳ−ＩＷＭＳＣ３０によって受信され、続いて、ＳＭＳ−ＩＷＭＳＣ３０からＳＭ−ＳＣ１０に当該ショートメッセージに係るショートメッセージ転送要求が送信される（Ｓ０５）。
【００４６】
ＳＭ−ＳＣ１０では、受信部１１によってショートメッセージ（ショートメッセージ転送要求）が受信される（Ｓ０５、受信ステップ）。受信されたショートメッセージは、受信部１１から連結ＳＭＳ判定部１２に入力される。続いて、連結ＳＭＳ判定部１２によって、ショートメッセージが連結ＳＭＳに係る形式であるか否かが判定される（Ｓ０６、連結ショートメッセージ判定ステップ）。ここで、ショートメッセージが連結ＳＭＳに係る形式でないと判定された場合、連結ＳＭＳ判定部１２からＳＭＳ蓄積部１３にショートメッセージが出力されると共に、その判定結果が通知される。続いて、ＳＭＳ蓄積部１３では、従来の蓄積処理と同様に入力されたショートメッセージの蓄積が行われる（Ｓ０７）。なお、ショートメッセージが連結ＳＭＳに係る形式でないと判定された場合は、上記のように従来と同様の処理であるので、連結ＳＭＳ判定部１２からＳＭＳ蓄積部１３への判定結果の通知はされなくてもよい。
【００４７】
一方で、入力されたショートメッセージが連結ショートメッセージを構成する形式であると判定された場合、連結ＳＭＳ判定部１２からＳＭＳ蓄積部１３にショートメッセージが出力されると共に、その判定結果が通知される。続いて、ＳＭＳ蓄積部１３によって、当該ショートメッセージは当該連結ショートメッセージを構成する一連の当該ショートメッセージとして蓄積される（Ｓ０８、連結ショートメッセージ蓄積ステップ）。上記の蓄積処理が完了すると、ＳＭ−ＳＣ１０からＳＭＳ−ＩＷＭＳＣ３０に対して、ＳＭＳ−ＩＷＭＳＣ３０からのショートメッセージ転送要求（Ｓ０５）に対するショートメッセージ転送応答が送信される（Ｓ０９）。続いて、ショートメッセージ転送応答が行われたＳＭＳ−ＩＷＭＳＣ３０からＳＧＳＮ／ＭＳＣ２０ａに対して、ショートメッセージの送信（Ｓ０４）に対する応答（MO FORWARD SM.ack）が送信される（Ｓ１０）。更に、当該応答が行われたＳＧＳＮ／ＭＳＣ２０ａから送信側移動通信端末５０に対して、ショートメッセージ発信（Ｓ０３）に対するａｃｋが送信される（Ｓ１１）。
【００４８】
以上のＳ０３〜Ｓ１１が１件のショートメッセージの発信処理である。ここで発信されるショートメッセージは、連結ＳＭＳの機能により複数の分割されたものであるので、２通目（Ｓ１２〜Ｓ２０）も上記のＳ０３〜Ｓ１０処理が、繰り返し行われる。更にショートメッセージが３つ以上に分割されたものである場合は、分割されたショートメッセージの数だけ繰り返し行われる。以上が、送信側移動通信端末５０からショートメッセージが受信される際に実行される処理である。
【００４９】
続いて、図７のシーケンス図を用いて、ＳＭ−ＳＣ１０から受信側移動通信端末６０にショートメッセージが送信される際に実行される処理を説明する。上述した処理のようにＳＭＳ蓄積部１３によってショートメッセージの蓄積が行われると、その旨が送信部１４に通知される。当該通知を受けた送信部１４によって、蓄積されたショートメッセージの中から、送信対象のショートメッセージ（２つに分割されたうちの１通目のショートメッセージ）が取得されて、当該ショートメッセージに係るショートメッセージ転送要求として、ＳＭＳ−ＧＭＳＣ４０に送信される（Ｓ２１、送信ステップ）。
【００５０】
ショートメッセージ転送要求がＳＭＳ−ＧＭＳＣ４０に入力されると、ＳＭＳ−ＧＭＳＣ４０からＳＧＳＮ／ＭＳＣ２０ｂに対して、当該ショートメッセージの送信（MT forward SM）が行われる（Ｓ２２）。なお、この送信の際、ＳＭＳ−ＧＭＳＣ４０によって、ＨＬＲ２０の情報が参照されてショートメッセージを送信すべきＳＧＳＮ／ＭＳＣ２０ｂ（ショートメッセージを送信すべきルート）が特定される。ＳＧＳＮ／ＭＳＣ２０ｂでは、当該ショートメッセージが受信される。
【００５１】
続いて、ＳＧＳＮ／ＭＳＣ２０ｂによって、受信されたショートメッセージから送信先の受信側移動通信端末６０が特定されて、当該受信側移動通信端末６０との間で（従来と同様の）ページング及び認証・秘匿処理が行われる（Ｓ２３）。続いて、ＳＧＳＮ／ＭＳＣ２０ｂと受信側移動通信端末６０との間でショートメッセージの着信処理が行われる。即ち、ＳＧＳＮ／ＭＳＣ２０ｂによって、ショートメッセージが受信側移動通信端末６０に送信される（Ｓ２４）。受信側移動通信端末６０では、ショートメッセージが受信されると、ショートメッセージの着信に対するａｃｋがＳＧＳＮ／ＭＳＣ２０ｂに送信される（Ｓ２５）。続いて、当該ａｃｋがＳＧＳＮ２０ｂによって受信されると、ＳＧＳＮ／ＭＳＣ２０ｂからＳＭＳ−ＧＭＳＣ４０に対して、ＳＭＳ−ＧＭＳＣ４０からのショートメッセージの送信（Ｓ２２）に対する応答（MT forward SM）が行われる（Ｓ２６）。
【００５２】
続いて、応答が行われたＳＭＳ−ＧＭＳＣ４０からＳＭ−ＳＣ１０に対して、ショートメッセージ転送要求（Ｓ２１）に対するショートメッセージ転送応答が行われる（Ｓ２７）。ＳＭ−ＳＣ１０では、受信確認部１５によって当該ショートメッセージ転送応答が受信される（Ｓ２７、受信確認ステップ）。即ち、受信確認部１５によって、ＳＧＳＮ／ＭＳＣ２０ｂからの、受信側移動通信端末６０からのａｃｋが受信された旨の通知が受け取られ、ショートメッセージの受信側移動通信端末６０での受信が確認される。受信確認部１５では、受信が確認されたショートメッセージが記憶される。以上が、連結ＳＭＳの機能により複数の分割されたショートメッセージのうちの１通目の受信処理である。
【００５３】
ここで、受信側移動通信端末６０が圏外に移動し、移動体通信を行えない状態になる（ものとする）（Ｓ２８）。続いて、１通目の受信した処理と同様に、ＳＭ−ＳＣ１０では、送信部１４によって、蓄積されたショートメッセージの中から、送信対象のショートメッセージ（２通目のショートメッセージ）が取得されて、当該ショートメッセージに係るショートメッセージ転送要求として、ＳＭＳ−ＧＭＳＣ４０に送信される（Ｓ２９、送信ステップ）。
【００５４】
ショートメッセージ転送要求がＳＭＳ−ＧＭＳＣ４０に入力されると、ＳＭＳ−ＧＭＳＣ４０からＳＧＳＮ／ＭＳＣ２０ｂに対して、当該ショートメッセージの送信（MT forward SM）が行われる（Ｓ３０）。ＳＧＳＮ／ＭＳＣ２０ｂでは、当該ショートメッセージが受信される。続いて、ＳＧＳＮ／ＭＳＣ２０ｂによって、ショートメッセージが受信側移動通信端末６０に送信される（Ｓ３１）。
【００５５】
しかし、上述したように受信側移動通信端末６０は、圏外になっており、ショートメッセージを受信することができない。従って、ＳＧＳＮ／ＭＳＣ２０ｂでは、受信側移動通信端末６０からのショートメッセージの着信に対するａｃｋが受信されない。一定時間が経過すると、ＳＧＳＮ／ＭＳＣ２０ｂでは、タイムアウトが検出されて、受信側移動通信端末６０におけるショートメッセージの受信が正常に行われなかったと認識する（Ｓ３２）。続いて、ＳＧＳＮ／ＭＳＣ２０ｂからＳＭＳ−ＧＭＳＣ４０に対して、ＳＭＳ−ＧＭＳＣ４０からのショートメッセージの送信（Ｓ３０）に対する、受信側移動通信端末６０においてショートメッセージの受信が正常に行われなかった旨の応答（MT forward SM，ERROR）が行われる（Ｓ３３）。
【００５６】
続いて、当該応答が行われたＳＭＳ−ＧＭＳＣ４０からＳＭ−ＳＣ１０に対して、ショートメッセージ転送要求（Ｓ２１）に対する、受信側移動通信端末６０においてショートメッセージの受信が正常に行われなかった旨のショートメッセージ転送応答（ERROR）が行われる（Ｓ３４）。ＳＭ−ＳＣ１０では、受信確認部１５によって当該ショートメッセージ転送応答が受信される（Ｓ３４、受信確認ステップ）。即ち、受信確認部１５によって、ＳＧＳＮ／ＭＳＣ２０ｂからの、受信側移動通信端末６０からのａｃｋが受信されていない旨の通知が受け取られ、ショートメッセージの受信側移動通信端末６０での未受信（受信エラー）が確認される。
【００５７】
受信確認部１５によって、上記のように連結ＳＭＳに係る一連のショートメッセージの何れかが、受信側移動通信端末６０において受信されていないことが確認された場合（Ｓ３５）、その旨が、当該連結ＳＭＳを特定する情報（連結ショートメッセージ整理番号）と共に再送制御部１６に通知される。再送制御部１６では、その通知を受けると、当該通知に係る連結ＳＭＳの一連のショートメッセージの全てを受信側移動通信端末６０に送信するように送信部１４を制御する（Ｓ３６、再送制御ステップ）。送信部１４では、再送の制御を受けると、上記の送信処理（Ｓ２１，Ｓ２９）と同様に（既に受信側移動通信端末６０での受信が確認されたショートメッセージも含めて）当該通知に係る一連のショートメッセージの全ての受信側移動通信端末６０への送信処理が行われる。
【００５８】
一方で図７に示すシーケンス図のように受信側移動通信端末６０が圏外に移動せず、連結ＳＭＳに係る一連のショートメッセージの全てが受信され、受信確認部１５によって、全てのショートメッセージについて、正常に受信がなされた旨のショートメッセージ転送応答（Ｓ２７等）が受信された場合、その旨が、受信確認部１５から削除部１７に通知される。削除部１７では、その通知を受けると、当該通知に係る、ＳＭＳ蓄積部１３によって蓄積された連結ＳＭＳの一連のショートメッセージの全てを削除する処理が行われる（Ｓ３７、削除ステップ）。
【００５９】
なお、受信確認部１５による、連結ＳＭＳに係る一連のショートメッセージの何れかが受信側移動通信端末６０において受信されていないこと、及び連結ＳＭＳに係る一連のショートメッセージの全てが受信されたことの判断は、全ての連結ＳＭＳに係る一連のショートメッセージの受信処理の後に行われることとしてもよい。あるいは、上述した処理のように、連結ＳＭＳに係る一連のショートメッセージ全ての受信処理の後に行われることとしてもよい。以上が、本実施形態に係るＳＭ−ＳＣ１０により実行される処理である。
【００６０】
上述したように本実施形態に係るＳＭ−ＳＣ１０では、連結ＳＭＳに係る一連のショートメッセージの送信に対して、全てのショートメッセージが受信側移動通信端末６０において受信されない場合、全てのショートメッセージが受信側移動通信端末６０に送信（再送）される。本実施形態のように、受信側移動通信端末６０が連結ＳＭＳに係る一連のショートメッセージの受信の途中で、圏外に移動し、更にその際にＳＩＭの差し替え等によって受信側の受信側移動通信端末６０（の端末装置）が変更された場合等であっても、連結ＳＭＳに係る一連のショートメッセージ全てが一つの受信側移動通信端末６０（の端末装置）によって受信される。その結果、受信側移動通信端末６０において、連結ＳＭＳの機能によってショートメッセージが、連結されて表示等が行われる等、適切に処理される。
【００６１】
なお、上述したように従来のＳＭＳの配信方法では、受信確認は連結ＳＭＳに係るショートメッセージである場合でも、個々のショートメッセージ毎に行われ、本実施形態のように連結ＳＭＳに係る一連のショートメッセージ単位では行われていなかった。従って、連結ＳＭＳに係る一連のショートメッセージの受信の途中で、ＳＩＭの差し替え等によって受信側の受信側移動通信端末６０（の端末装置）が変更された場合は、本実施形態とは異なり、ＳＩＭ差し替え前の移動通信端末、及びＳＩＭ差し替え後の移動通信端末のそれぞれにおいて、連結ＳＭＳの機能によって分割されたショートメッセージが部分的にしか受信されておらず、ショートメッセージを連結することができず、表示等の適切な処理をおこなうことができないという状態になっていた。
【００６２】
また、従来のＳＭ−ＳＣでは、本実施形態とは異なり、連結ＳＭＳに係るショートメッセージである場合でも、ショートメッセージ単位で受信側移動通信端末６０での受信が確認されたら、当該ショートメッセージは削除されていた。即ち、本実施形態のように蓄積、再送の制御及び削除を、連結ＳＭＳに係る一連のショートメッセージ単位で行うこととはしていなかった。このような構成であると上述した一連のショートメッセージの再度の送信を行うことができない。
【００６３】
一方で本実施形態では、連結ＳＭＳに係る一連のショートメッセージ全てが受信側移動通信端末６０において受信された場合に、ショートメッセージを削除している。このような構成におり、適切に一連のショートメッセージの再度の送信を行うことができ、また、適切なタイミングで連結ＳＭＳに係るショートメッセージが削除され、（メモリ上に無駄なショートメッセージを記憶しない等の）適切な管理が可能になる。
【図面の簡単な説明】
【００６４】
【図１】本発明の実施形態に係るショートメッセージ制御装置であるＳＭ−ＳＣの機能構成を示す図である。
【図２】ＳＭ−ＳＣによって制御されるショートメッセージのデータ構成を示す図である。
【図３】ＳＭ−ＳＣによって制御されるショートメッセージのユーザデータ部分のデータ構成を示す図である。
【図４】ＳＭ−ＳＣによって制御されるショートメッセージのユーザデータ内の情報要素のデータ構成を示す図である。
【図５】本発明の実施形態に係るショートメッセージ制御装置であるＳＭ−ＳＣのハードウェア構成を示す図である。
【図６】本発明の実施形態に係るショートメッセージ制御装置であるＳＭ−ＳＣで、送信側移動通信端末からショートメッセージが受信される際に実行される処理（ショートメッセージ制御方法）を示すシーケンス図である。
【図７】本発明の実施形態に係るショートメッセージ制御装置であるＳＭ−ＳＣで、受信側移動通信端末にショートメッセージが送信される際に実行される処理（ショートメッセージ制御方法）を示すシーケンス図である。
【符号の説明】
【００６５】
１０…ＳＭ−ＳＣ、１１…受信部、１２…連結ＳＭＳ判定部、１３…ＳＭＳ蓄積部、１４…送信部、１５…受信確認部、１６…再送制御部、１７…削除部、１０１…ＣＰＵ、１０２…ＲＡＭ、１０３…ＲＯＭ、１０４…通信モジュール、１０５…補助記憶装置、２０…ＳＧＳＮ／ＭＳＣ、３０…ＳＭＳ−ＩＷＭＳＣ、４０…ＳＭＳ−ＧＭＳＣ、５０…送信側移動通信端末、６０…受信側移動通信端末、Ｎ…移動体通信網。
【図１】
2010161560.tif 000003
【図２】
2010161560.tif 000004
【図３】
2010161560.tif 000005
【図４】
2010161560.tif 000006
【図５】
2010161560.tif 000007
【図６】
2010161560.tif 000008
【図７】
2010161560.tif 000009